(57)【要約】【課題】  塗布剤容器に貯留された医療用の塗布剤を施術者が施術のために使用する場合に、その塗布剤容器の外部が有害な細菌で汚染されていたとしても、その細菌に術野が感染する虞を低減することができる施術用補助具を提供すること。【解決手段】  塗布剤容器は、可撓性を有する部材からなり、液状の医療用の塗布剤を貯留する貯留部と、貯留部に連なり、貯留部に貯留した塗布剤を排出するための排出部とを備えている。施術用補助具１は、筒状部３と底面部５とを備えている。筒状部３は、可撓性を有する部材からなり、一端側に塗布剤容器を挿通可能な開口３ｂを有すると共に、内部に塗布剤容器の貯留部を収容可能な収容空間３ａを有する。底面部５は、筒状部３の他端側の開口を閉塞すると共に、塗布剤容器の排出部を挿通可能な貫通孔５ａが穿設されている。【選択図】図１
0003209340.tif 000002
【実用新案登録請求の範囲】
【請求項１】
可撓性を有する部材からなり、液状の医療用の塗布剤を貯留する貯留部と、前記貯留部に連なり、前記貯留部に貯留した前記塗布剤を排出するための排出部とを備えた塗布剤容器を収容可能な施術用補助具であって、
可撓性を有する部材からなり、一端側に前記塗布剤容器を挿通可能な開口を有すると共に、内部に前記塗布剤容器の貯留部を収容可能な収容空間を有する筒状部と、
前記筒状部の他端側の開口を閉塞すると共に、前記塗布剤容器の排出部を挿通可能な貫通孔が穿設された底面部とを備えたことを特徴とする施術用補助具。
【請求項２】
請求項１に記載の施術用補助具において、
前記筒状部の軸芯に沿う方向から見て、前記底面部の投影面の一部が前記筒状部の投影面より外方に突出すると共に、その突出した投影面の輪郭形状には、一つの仮想直線に同時に接し互いに離間する２つの接点が含まれ、
前記筒状部の軸芯に沿う方向から見て、前記筒状部の軸芯を通り前記仮想直線に直交する直線と前記仮想直線との交点が前記２つの接点の間に位置付けられることを特徴とする施術用補助具。
【考案の詳細な説明】
【技術分野】
【０００１】
本考案は、外部が未滅菌の塗布剤容器に貯留された液状の医療用の塗布剤を犬や猫等の動物または人間の外科手術において使用する際に、手術対象の部位である術野を細菌で汚染させることなく医療用の塗布剤を使用することができるようにする補助具に関するものである。
【背景技術】
【０００２】
液状の医療用の塗布剤が貯留された塗布剤容器としては、特許文献１の図３に示されているものがある。この医療用の塗布剤容器は、貯留部と先細の排出部とを有しており、貯留部を押圧することで貯留部内に貯留された塗布剤を排出部から押し出すようにしている。このような医療用の塗布剤容器には、その外部が滅菌されたものもある。しかし、そのようなものは高価であり在庫管理が煩雑であることから、一般的には未滅菌の塗布剤容器が使用されており、外科手術を行う際は、施術者が塗布剤容器を手で把持した状態で貯留部を押圧して排出部から塗布剤を押し出し、術野の塗布部に滴下塗布するようにしている。
【先行技術文献】
【特許文献】
【０００３】
【特許文献１】再公表特許ＷＯ２００３／０８２９３１号公報
【考案の概要】
【考案が解決しようとする課題】
【０００４】
しかしながら、塗布剤が貯留された塗布剤容器の外部が未滅菌の場合において、塗布剤容器の外部に有害な細菌が付着していたときは、塗布剤容器を把持した施術者の手が有害な細菌で汚染され、そのような汚染された手で術野に触れると術野が有害な細菌に感染する虞がある。
本考案は、このような問題を解消するためになされたもので、塗布剤容器に貯留された医療用の塗布剤を施術者が施術のために使用する場合に、その塗布剤容器の外部が有害な細菌で汚染されていたとしても、その細菌に術野が感染する虞を低減することができる施術用補助具を提供することを目的とする。
【課題を解決するための手段】
【０００５】
この目的を達成するために、本考案に係る施術用補助具は、可撓性を有する部材からなり、液状の医療用の塗布剤を貯留する貯留部と、前記貯留部に連なり、前記貯留部に貯留した前記塗布剤を排出するための排出部とを備えた塗布剤容器を収容可能な施術用補助具であって、可撓性を有する部材からなり、一端側に前記塗布剤容器を挿通可能な開口を有すると共に、内部に前記塗布剤容器の貯留部を収容可能な収容空間を有する筒状部と、前記筒状部の他端側の開口を閉塞すると共に、前記塗布剤容器の排出部を挿通可能な貫通孔が穿設された底面部とを備えたことを特徴とするとするものである。
【０００６】
請求項２に記載した考案に係る施術用補助具は、請求項１に記載の施術用補助具において、前記筒状部の軸芯に沿う方向から見て、前記底面部の投影面の一部が前記筒状部の投影面より外方に突出すると共に、その突出した投影面の輪郭形状には、一つの仮想直線に同時に接し互いに離間する２つの接点が含まれ、前記筒状部の軸芯に沿う方向から見て、前記筒状部の軸芯を通り前記仮想直線に直交する直線と前記仮想直線との交点が前記２つの接点の間に位置付けられることを特徴とするものである。
【考案の効果】
【０００７】
本考案によれば、医療用の塗布剤が貯留された塗布剤容器の外部が有害な細菌で汚染されていても、施術者が塗布剤容器に直接触れることなく該塗布剤容器から塗布剤を排出させて術野の塗布すべき部位に塗布することができるので、有害な細菌に術野が感染する虞を低減することができる。
請求項２に記載の考案によれば、底面部の投影面を幾何学的な特徴を有する形状に形成したので、転動することなく安定的に施術用補助具を水平な面上に載置することができる。
【図面の簡単な説明】
【０００８】
【図１】本考案の実施の形態に係る施術用補助具を示した図であり、（１）図は施術用補助具の正面図であり、（２）図は（１）図の矢視Ａ−Ａ線に沿う断面図であり、（３）図は（１）図の矢視Ｂ線に沿う方向から見た状態を示す図であり、（４）図は（１）図の矢視Ｃ線に沿う方向から見た状態を示す図であり、（５）図は施術用補助具の底面部の形状を説明するための図である。
【図２】本考案の実施の形態に係る施術用補助具を使用する際の作業手順を説明するための図である。
【図３】図２に示す作業手順の続きの作業手順を説明するための図である。
【図４】図３に示す作業手順の続きの作業手順を説明するための図である。
【図５】図４に示す作業手順の続きの作業手順を説明するための図である。
【図６】図５に示す作業手順の続きの作業手順を説明するための図である。
【図７】図６に示す作業手順の続きの作業手順を説明するための図である。
【図８】液状の医療用の塗布剤を貯留する塗布剤容器の縦断面図である。
【図９】（１）図ないし（３）図は、本考案の実施の形態の変形例（３例）に係る施術用補助具を底面部側からそれぞれ見た状態を示す図であり、（１'）図ないし（３'）図は、各変形例に係る施術用補助具の底面部の形状を説明するための図である。
【考案を実施するための形態】
【０００９】
以下、本考案に係る実施の形態を図１ないし図８を参照して詳細に説明する。図１ないし図７において符号１で示すものは、本実施の形態に係る施術用補助具の一例であり、図８において符号５０で示すものは、液状の医療用の塗布剤を貯留する塗布剤容器の一例である。
塗布剤容器５０は、液状の医療用の塗布剤Ｍを貯留する円柱状の貯留部５２と、該貯留部５２の軸方向一端部に連なり、該貯留部５２に貯留した塗布剤Ｍを排出するための細い円錐台状の排出部５４とを備えている。貯留部５２は、可撓性を有する部材からなり、円筒状の筒部５２ａと、筒部５２ａの軸方向両端をそれぞれ閉塞する第一底面部５２ｂと第二底面部５２ｃとを備えている。
【００１０】
排出部５４は、その軸芯と貯留部５２の軸芯とが同軸になるように軸芯方向に延び、先端に向かうほど細くなるよう形成されている。排出部５４の先端部５４ａは閉塞され、貯留部５２と排出部５４とで囲繞される空間に塗布剤Ｍが液密に密封されている。液状の医療用の塗布剤Ｍとしては、例えば、シアノアクリレート系の接着剤や、その他薬剤が挙げられる。前記接着剤は、例えば、犬および猫等の動物や人間の皮膚，各種臓器もしくは血管等の組織の接着、または、これらの組織と各種の施術用具との接着、または、各種の施術用具同士の接着に供される。各種の施術用具は、施術する術野に一定の期間、留置され、例えば、生体適合性の合成樹脂からなる各種のカテーテルや合成樹脂の不織布からなるカフ等が挙げられる。
【００１１】
一方、施術用補助具１は、内部に塗布剤容器５０の貯留部５２を収容可能な収容空間３ａを有する円筒状の筒状部３と、該筒状部３においてその軸芯Ｏに沿う方向の一端側の開口を閉塞する正方形の底面部５とを備えている。また、筒状部３において軸芯Ｏに沿う方向の他端側の開口３ｂは、塗布剤容器５０を挿通可能な形状および大きさに形成されている。筒状部３の横断面の輪郭形状は円形に形成され、その円形の大きさは、軸芯Ｏに沿う方向の全域に亘って同一に形成されている。
底面部５の中央部には、塗布剤容器５０の排出部５４を挿通可能な貫通孔５ａが穿設されている。筒状部３と底面部５とは、可撓性を有する部材で構成されており、その材質としては、ポリエチレン，ポリウレタン，塩化ビニルまたはシリコンエラストマ等が挙げられる。筒状部３と底面部５とは、熱を加えて互いに溶着することで両者を一体化している。なお、熱を加えて溶着する方法に替えて、接着剤により接着することで一体化するか、または、成形型に樹脂材料を注入して一体成形により形成してもよい。
【００１２】
図１の（４）図に示すように、施術用補助具１の底面部５は、その輪郭形状を形成する正方形が、筒状部３の軸芯Ｏに沿う方向から見て、筒状部３の輪郭形状を形成する円に外接している。このため、図１の（５）図に示すように、筒状部３の軸芯Ｏに沿う方向から見て、底面部５の投影面Ｄ（縦線のハッチングを入れた領域）の一部が筒状部３の投影面Ｅ（横線のハッチングを入れた領域）より外方に突出すると共に、その突出した投影面Ｄの輪郭部分には、一つの仮想直線Ｌ１に同時に接し互いに離間する２つの接点Ｐ１，Ｐ２が含まれる。実際には、底面部５の正方形の一辺に相当する部分の全体が仮想直線Ｌ１に線接触しているので、その接点は無数に存在するが、図１の（５）図では作図の都合上、２つの接点Ｐ１，Ｐ２のみを表示している。
また、前記軸芯Ｏに沿う方向から見て、その軸芯Ｏを通り前記仮想直線Ｌ１に直交する直線Ｌ２と前記仮想直線Ｌ１との交点Ｑが前記２つの接点Ｐ１，Ｐ２の間に位置付けられる。
このような幾何学的な特徴は、施術用補助具１の底面部５における外周縁のうち正方形の四辺の何れの一辺に相当する外周縁についても具備している。このため、底面部５の外周縁のうち正方形の何れかの一辺に相当する外周縁部が接するように施術用補助具１を平面上に載置することで、転動することなく安定的に施術用補助具１を水平な面上に載置することができる。
【００１３】
＜施術用補助具１を使用するときの作業手順＞
次に、外部が未滅菌の塗布剤容器５０に貯留された液状の医療用の塗布剤Ｍを犬や猫等の動物または人間の外科手術において使用する場合において、上述した施術用補助具１を併用するときの作業手順の一例について図２ないし図７も参照して説明する。
施術対象が例えば犬の場合について説明すると、まず、施術者の助手は、施術台５６の上に載置された犬Ｆの術野Ｆ１およびその近傍の体毛を剃ったのち、消毒用アルコール等の消毒液を浸透させた脱脂綿（図示せず）により前記術野Ｆ１およびその近傍を消毒する。
【００１４】
一方、施術者は、滅菌された施術用手袋Ｇを自己の手Ｈに装着し、その装着したままの手Ｈにより、これから全ての作業を行い、該作業においては、その手Ｈで、消毒された物または滅菌された物以外には触れないようにする。
次に、施術者は、滅菌された覆布５８を手Ｈで把持して該覆布５８により犬Ｆの術野Ｆ１およびその近傍を覆う。このとき、覆布５８に設けられ開口５８ａを介して術野Ｆ１が外部に臨むようにする（図２参照）。
一方、施術者の助手は、犬Ｆの外科手術に使用される施術用器材６０が一つの器材用滅菌袋６２に収納されてなる施術用器材セット６４と、ディスペンサ６６および前記施術用補助具１が一つの補助具用滅菌袋６８に収納されてなる施術用補助具セット７０と、上面側に平坦な載置面を有するトレー７２と、塗布剤容器５０とを、前記施術台５６の近傍に設置された補助テーブル７４の上に載置する。この説明では、施術用器材セット６４の一部を構成する施術用器材６０と、施術用補助具セット７０の一部を構成する施術用補助具１およびディスペンサ６６とは、全て適切に滅菌されているものとする。
【００１５】
また、施術用器材セット６４の他の一部を構成する器材用滅菌袋６２と、施術用補助具セット７０の他の一部を構成する補助具用滅菌袋６８との内表面は全て適切に滅菌されているものの、これら滅菌袋６２，６８の外表面は滅菌されておらず、有害な細菌でそれぞれ汚染されているものとする。また、トレー７２は、少なくともその上面側が全て適切に滅菌されているものとし、施術者の助手が補助テーブル７４上にトレー７２を載置するときは、該トレー７２の下面側のみを手で触れるものとする。
また、施術台５６と補助テーブル７４との上面は、滅菌されておらず、有害な細菌でそれぞれ汚染されているものとする。
前記ディスペンサ６６は、図５の（８）図に示すように、細い筒状の吐出部６６ａと、該吐出部６６ａに同軸に連なり、該吐出部６６ａより太い筒状の基部６６ｂとを備えている。先端部５４ａが切除された塗布剤容器５０の排出部５４にディスペンサ６６の基部６６ｂを嵌合することで、ディスペンサ６６が塗布剤容器５０に装着され、該ディスペンサ６６を介して塗布剤容器５０内の塗布剤が排出される。ディスペンサ６６の吐出部６６ａは塗布剤容器５０の切除された排出部５４の先端より細い上、吐出部６６ａの先端の吐出口の方が排出部５４の先端の排出口より小さいので、術野Ｆ１の細かな部分に少量の塗布剤Ｍを塗布することができる。
【００１６】
次に、施術用器材セット６４の器材用滅菌袋６２の外側を助手が両手で把持して該滅菌袋６２を開封した状態で保持する一方、該滅菌袋６２内から施術用器材６０を施術者が手Ｈで取り出して、補助テーブル７４上に載置されたトレー７２上に載置する（図３の（１）図参照）。
次に、助手は、空になった器材用滅菌袋６２を補助テーブル７４上に載置したのち、施術用補助具セット７０の補助具用滅菌袋６８の外側を両手で把持して該滅菌袋６８を開封した状態で保持する一方、該滅菌袋６８内から施術用補助具１およびディスペンサ６６を施術者が手Ｈで取り出して、補助テーブル７４上に載置されたトレー７２上に載置する（図３の（２）図参照）。
次に、施術者は、補助テーブル７４上に載置された塗布剤容器５０の上方から施術者が手Ｈで施術用補助具１を把持した状態で被せるようにして施術用補助具１の収容空間３ａ内に塗布剤容器５０を収納する（図４の（３）図および図３の（４）図参照）。このとき、施術用補助具１の筒状部３の下端が補助テーブル７４に接触しないようにする。
次に、施術者は、施術用補助具１を把持した手Ｈにより施術用補助具１の筒状部３の外周部を押圧して筒状部３を変形させ、筒状部３の内周面を塗布剤容器５０の筒部５２ａの外周面に当接させる。そしてさらに、その筒部５２ａの当接部により塗布剤容器５０を保持した状態で、施術用補助具１と共に塗布剤容器５０を上下逆向きにする（図４の（５）図参照）。
【００１７】
次に、施術者は、施術用補助具１の筒状部３の外周部を押圧している手Ｈの押圧力を緩めて施術用補助具１の底面部５の方に塗布剤容器５０を落下させたのち、筒状部３の外周部を押圧している手Ｈの押圧力を再び強めて、塗布剤容器５０の第二底面部５２ｃ側を、筒状部３を介して押圧しながら塗布剤容器５０の排出部５４を底面部５の貫通孔５ａに挿通させる（図５の（６）図参照）。排出部５４は、貫通孔５ａに嵌合される部位の外径が貫通孔５ａの内径より若干大きな寸法に設定されているので、貫通孔５ａにより緊締され保持される。
次に、施術者は、塗布剤容器５０の第二底面部５２ｃ側を、施術用補助具１の筒状部３を介して手Ｈにより押圧した状態で、施術用補助具１と共に塗布剤容器５０を再び上下逆向きにしたのち、消毒用アルコール等の消毒液を浸透させた脱脂綿（図示せず）により、施術用補助具１の底面部５の貫通孔５ａから突出した塗布剤容器５０の排出部５４を拭いて消毒する。
【００１８】
次に、施術者は、滅菌されたカッター（図示せず）により排出部５４の先端部５４ａを切除し、その切除により形成された排出部５４の先端の排出口を介して塗布剤容器５０内と外部とを連通させる（図５の（７）図参照）。
次に、施術者は、トレー７２上に載置されたディスペンサ６６を手Ｈで把持してその基部５６ｂを塗布剤容器５０の排出部５４に嵌合する（図５の（８）図参照）。これにより、有害な細菌で術野Ｆ１が感染する虞を低減した状態で、ディスペンサ６６を介して塗布剤容器５０内の塗布剤を排出させて術野Ｆ１の塗布すべき部位に塗布することができる。
以上で、塗布剤容器５０を使用可能な準備作業が完了する。
【００１９】
前記準備作業が完了したら、施術者は、塗布剤容器５０が装着された施術用補助具１を横向きの姿勢にして補助テーブル７４上のトレー７２上に載置する（図６参照）。
次に、助手は、塗布剤容器５０が装着された施術用補助具１と、施術用器材６０とが載置されたトレー７２を手で把持して施術台５６上における犬Ｆの術野Ｆ１の近傍に載置する（図７参照）。このとき、トレー７２上に載置された施術用器材６０等やトレー７２の上面が、助手の手に付着した有害な細菌により汚染されないように、助手はトレー７２の下面のみを手で把持してトレー７２を移動させる。
なお、施術中において、施術用補助具１に収納された塗布剤容器５０を使用しないときも同様にトレー７２上に載置しておけばよい。トレー７２上に載置するとき、施術用補助具１における底面部５の外周縁のうち正方形の何れかの一辺に相当する外周縁部がトレー７２の上面に接するように施術用補助具１をトレー７２上に載置することで、転動することなく安定的に施術用補助具１をトレー７２上に載置することができる。
【００２０】
施術後は、施術の際に使用した塗布剤容器５０およびディスペンサ６６は廃棄するものの、施術用補助具１は、所定の洗浄液により洗浄したのち滅菌して補助具用滅菌袋６８に収納しておくことで再利用に供してもよい。
上述したような本考案の実施の形態に係る施術用補助具１によれば、医療用の塗布剤Ｍが貯留された塗布剤容器５０の外部が有害な細菌で汚染されていても、施術者が塗布剤容器５０に直接触れることなく該塗布剤容器５０から塗布剤Ｍを排出させて術野Ｆ１の塗布すべき部位に塗布することができるので、有害な細菌に術野Ｆ１が感染する虞を低減することができる。
【００２１】
上述した実施の形態は本考案を説明するための一例であり、本考案は、前記の実施の形態に限定されるものではなく、実用新案登録請求の範囲と明細書との全体から読み取れる考案の要旨または思想に反しない範囲で適宜変更可能であり、そのような変更後の施術用補助具もまた、本考案の技術的範囲に含まれるものである。
例えば、上述した作業手順の順番および各作業を行う者については、上述した事柄に限らず、有害な細菌に術野Ｆ１が感染する虞を低減するという目的から逸脱しない範囲で適宜変更してもよい。
また、上述した実施の形態においては、塗布剤容器５０が装着された施術用補助具１および施術用器材６０をトレー７２上に載置するようにしたが、トレー７２を使用せずに、術野Ｆ１を覆った覆布５８上の水平な領域に施術用器材６０等を直接、載置するようにしてもよい。この場合、覆布５８は予め滅菌されているので、該覆布５８上に載置しても施術用器材６０等が有害な細菌で汚染される虞はない。
【００２２】
また、上述した実施の形態においては、先端部５４ａが切除された塗布剤容器５０の排出部５４にディスペンサ６６を嵌合装着して、該ディスペンサ６６を介して塗布剤容器５０内の塗布剤Ｍを吐出するようにした。しかし、ある程度の量の塗布剤Ｍを一度に排出して塗布したい場合は、ディスペンサ６６を使用せずに塗布剤容器５０の排出部５４から直接、塗布剤Ｍを排出して術野Ｆ１の塗布すべき部位に塗布するようにしてもよい。
また、上述した実施の形態においては、施術用補助具１の筒状部３を円筒状に形成した例を示したが、これに替えて、筒状部３を、その横断面の輪郭形状を底面部５と同一の大きさの正方形に形成した四角筒状に形成してもよいし、筒状部３を円筒状のままとすると共に前記正方形の四辺のうち何れか向かい合う二辺だけを長くした長方形に底面部５を形成してもよい。これらのように構成した場合でも、施術用補助具１を水平な面上に載置することで、転動することなく安定的に施術用補助具１を載置することができるのは言うまでもない。
【００２３】
また、図９の（１）図ないし（３）図に示すように、底面部５を矩形以外の形状に形成してもよい。これらの図において、上述した実施の形態で説明したものと同一または同等の部材および部位等については、同一の符号を付し詳細な説明は省略し、実施の形態とは異なる点を主に詳細に説明する。
（１）図に示す施術用補助具１は、底面部５を長方形と半円とを組み合わせた形状に形成したものであり、（２）図に示す施術用補助具１は、上述した実施の形態に係る施術用補助具１の底面部５において正方形の四つの角部に相当する部位にそれぞれ略三角形の形状の凸部５ｂを形成したものであり、（３）図に示す施術用補助具１は、前記（２）図において４箇所に形成した凸部５ｂを、隣り合う２箇所のみに形成したものである。
これらの３つの変形例に係る施術用補助具１の底面部５についても、図９の（１'）図ないし（３'）図に示す２つの接点Ｐ１，Ｐ２と交点Ｑとの位置関係が成立し、上述した実施の形態に係る施術用補助具１の底面部５と同様の幾何学的な特徴を有する。このため、同（１'）図ないし（３'）図に示すように、底面部５の外周縁部が平面上に接するように施術用補助具１を平面上に載置することで、転動することなく安定的に施術用補助具１を載置することができる。
【符号の説明】
【００２４】
１    施術用補助具
３    筒状部
３ａ  収容空間
３ｂ  開口
５    底面部
５ａ  貫通孔
５０  塗布剤容器
５２  貯留部
５４  排出部
Ｄ    底面部の投影面
Ｅ    筒状部の投影面
Ｌ１  仮想直線
Ｌ２  直線
Ｍ    塗布剤
Ｏ    軸芯
Ｐ１  接点
Ｐ２  接点
Ｑ    交点
【図１】
0003209340.tif 000003
【図２】
0003209340.tif 000004
【図３】
0003209340.tif 000005
【図４】
0003209340.tif 000006
【図５】
0003209340.tif 000007
【図６】
0003209340.tif 000008
【図７】
0003209340.tif 000009
【図８】
0003209340.tif 000010
【図９】
0003209340.tif 000011